【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
無線電力供給源から無線電力を受信するための遠隔デバイスであって、該遠隔デバイスは、
誘導結合を通して前記無線電力供給源から電力を受信することができる適応電力レシーバであって、前記適応電力レシーバは、第１のモードに構築可能、および、第２のモードに構築可能である、適応電力レシーバと、
前記適応電力レシーバにおいて生成された電力を受信するための負荷であって、前記第１のモードにおいて、前記適応電力レシーバは前記無線電力供給源から受信したエネルギーを格納することができ、前記第２のモードにおいて、前記適応電力レシーバは前記格納されたエネルギーを前記負荷に開放する、負荷と、
前記適応電力レシーバに結合して動作するコントローラであって、該コントローラは、前記第１のモードと前記第２のモードとの間で前記適応電力レシーバを選択的に構成することによって、前記無線電力供給源から受信した電力をコントロールすることができる、コントローラと、
を具備し、
前記コントローラは、前記無線電力供給源と通信するために、ビット・タイムにわたり、前記第２のモードに関して前記第１のモードのデューティ・サイクルをコントロールすることによって、前記適応電力レシーバによって受信された電力をコントロールし、
前記デューティ・サイクルを増加することは、前記適応電力レシーバが前記第１のモードにある時間の期間を増やし、
前記デューティ・サイクルを減少することは、前記適応電力レシーバが前記第１のモードにある時間の期間を減らし、
前記コントローラは、前記デューティ・サイクルを前記遠隔デバイスのインピーダンスをシフトするために２つの値の間で選択的に調節することによって前記無線電力供給源に通信することができ、
前記デューティ・サイクルを２つの値の間で調節することは、前記デューティ・サイクルを１つ以上の中間のデューティ・サイクル値の間で調節することを含む、
遠隔デバイス。
【請求項２】
前記第１のモードは、高Ｑモードであり、前記第２のモードは、低Ｑモードである、請求項１に記載の遠隔デバイス。
【請求項３】
前記コントローラは、前記適応電力レシーバの効果的Ｑを閾値の上に、または、下に維持するために、前記適応電力レシーバが前記高Ｑモードにある期間をコントロールし、それによって、前記無線電力供給源と前記遠隔デバイスとの間の電力伝送の効率を改善する、請求項２に記載の遠隔デバイス。
【請求項４】
前記適応電力レシーバは、受信した電力を調整すること、および、適応電力レシーバを前記第１のモードと前記第２のモードとの間でスイッチすることの両方が可能である適応コントロール回路を含む、請求項１に記載の遠隔デバイス。
【請求項５】
前記１つ以上の中間のデューティ・サイクル・ステップの数とサイズは、前記通信においてリンギングを減少させるように選択される、請求項１に記載の遠隔デバイス。
【請求項６】
前記１つ以上の中間のデューティ・サイクル・ステップの数とサイズは、ゼロ・ビット減衰を減少させるように選択される、請求項１に記載の遠隔デバイス。
【請求項７】
前記１つ以上の中間のデューティ・サイクル・ステップの数とサイズは、前記ビット・タイムの部分の間、一定のデューティ・サイクルを生成するように選択される、請求項１に記載の遠隔デバイス。
【請求項８】
前記１つ以上の中間のデューティ・サイクル・ステップの数とサイズは、全ビット・タイムの間、種々のデューティ・サイクルを生じるように選択される、請求項１に記載の遠隔デバイス。
【請求項９】
前記第１のモードは共鳴であり、前記第２のモードは、高共鳴である、請求項１に記載の遠隔デバイス。
【請求項１０】
誘導結合を通して前記無線電力供給源から電力を受信することができる補助レシーバを更に備え、前記第１のモードにおいて、前記適応電力レシーバは、前記無線電力供給源から前記補助レシーバに電力を提供し、前記負荷に直接電力を提供することをバイパスし、前記第２のモードにおいて、前記適応電力レシーバは、前記負荷に直接電力を提供する、請求項１に記載の遠隔デバイス。
【請求項１１】
前記適応電力レシーバは前記第１のモードにおいて、前記第２のモードに比較して等価直列抵抗を減少した、請求項１に記載の遠隔デバイス。
【請求項１２】
前記コントローラは、受信される電力が閾値より下であるとの決定に応じて、受信される電力の量を増加するように前記適応電力レシーバをコントロールする、請求項１に記載の遠隔デバイス。
【請求項１３】
前記適応電力レシーバは、前記無線電力供給源と誘導的に結合することができる単一のインダクタを含む、請求項１に記載の遠隔デバイス。
【請求項１４】
遠隔デバイスにおいて無線電力供給源から受信される電力をコントロールするための方法であって、該方法は、
前記無線電力供給源で誘導結合を介して適応電力レシーバにおいて電力を受信するステップと、
前記適応電力レシーバを選択的に第１のモードに構成するステップであって、該第１のモードにおいて、前記適応電力レシーバは、無線電力供給源から受信したエネルギーを格納することができる、ステップと、
前記適応電力レシーバを選択的に第２のモードに構成するステップであって、該第２のモードにおいて、適応電力レシーバは、格納されたエネルギーを負荷に開放する、ステップと、
前記適応電力レシーバによって受信された電力の量を制御するために第１のデューティ・サイクルにおいて前記第１のモードと前記第２のモードとの間で循環するステップと、
前記適応電力レシーバによって受信された電力の量を制御するために第２のデューティ・サイクルにおいて前記第１のモードと前記第２のモードとの間で循環するステップと、
前記無線電力供給源と通信するために、前記第１のデューティ・サイクルにおける前記第１のモードと前記第２のモードとの間での循環、および、第２のデューティ・サイクルにおける前記第１のモードと前記第２のモードとの間での循環の間に移行するステップであって、前記移行するステップは、１つ以上の中間のデューティ・サイクルにおける前記第１のモードと前記第２のモードとの間での循環を含み、前記中間のデューティ・サイクルは、前記第１のデューティ・サイクルと前記第２のデューティ・サイクルとの間にある、ステップと、
を具備する方法。
【請求項１５】
前記第１のモードは、高Ｑモードであり、前記第２のモードは、低Ｑモードである、請求項１４に記載の方法。
【請求項１６】
前記適応電力レシーバの効果的Ｑを閾値の上に、または、下に維持するために、前記適応電力レシーバが前記高Ｑモードにある期間をコントロールするステップを含み、それによって、前記無線電力供給源と前記遠隔デバイスとの間の電力伝送の効率を改善する、請求項１５に記載の方法。
【請求項１７】
前記１つ以上の中間のデューティ・サイクル・ステップの数とサイズは、前記通信においてリンギングを減少させるように選択される、請求項１４に記載の方法。
【請求項１８】
前記１つ以上の中間のデューティ・サイクル・ステップの数とサイズは、ゼロ・ビット減衰を減少させるように選択される、請求項１４に記載の方法。
【請求項１９】
無線電力供給源から遠隔デバイスに無線電力を伝送し、該遠隔デバイスから該無線電力供給源に通信するための無線電力システムであって、前記無線電力システムは、
ワイヤレス電力供給源から誘導結合を通して電力を受信することができる適応電力レシーバであって、前記適応電力レシーバは、第１のモードに構成可能、および、第２のモードに構成可能である、適応電力レシーバ、
前記適応電力レシーバにおいて生成された電力を受信するための負荷であって、前記第１のモードにおいて、前記適応電力レシーバは、無線電力供給源から受信したエネルギーを格納することができ、前記第２のモードにおいて、前記適応電力レシーバは、前記格納されたエネルギーを前記負荷に開放する、負荷、および、
前記適応電力レシーバに結合して動作するコントローラであって、該コントローラは、前記第１のモードと前記第２のモードとの間で適応電力レシーバを選択的に構成することによって、前記無線電力供給源から受信した電力をコントロールすることができる、コントローラ、
を含む遠隔デバイスであって、
前記コントローラは、前記無線電力供給源と通信するために、ビット・タイムにわたり、前記第２のモードに関して前記第１のモードのデューティ・サイクルをコントロールすることによって、前記適応電力レシーバによって受信された電力をコントロールし、前記デューティ・サイクルを増加することは、前記適応電力レシーバが前記第１のモードにある時間の期間を増やし、前記デューティ・サイクルを減少することは、前記適応電力レシーバが前記第１のモードにある時間の期間を減らし、
前記コントローラは、前記デューティ・サイクルを前記遠隔デバイスのインピーダンスをシフトするために２つの値の間で選択的に調節することによって前記無線電力供給源に通信することができ、前記デューティ・サイクルを２つの値の間で調節することは、前記デューティ・サイクルを１つ以上の中間のデューティ・サイクル値の間で調節することを含む、
遠隔デバイスと、
無線電力を前記遠隔デバイスに送信することができる適応電力トランスミッタであって、該適応電力トランスミッタは、第１のモードに構築可能、および、第２のモードに構築可能であり、前記第１のモードにおいて、前記適応電力トランスミッタは、第１の共鳴周波数を有し、前記第２のモードにおいて、前記適応電力トランスミッタは、第２の異なる共鳴周波数を有する、適応電力トランスミッタ、および、
前記適応電力レシーバに結合して動作するコントローラであって、該コントローラは、前記第１のモードと前記第２のモードとの間で適応電力トランスミッタを選択的に構成することによって、前記無線電力供給源によって送信された電力をコントロールすることができる、コントローラ、
を含む無線電力トランスミッタと、
を具備する無線電力システム。
【請求項２０】
前記デューティ・サイクルを前記遠隔デバイスのインピーダンスをシフトするために２つの値の間で選択的に調節することによって前記通信においてリンギングを減少させるように構成され、前記デューティ・サイクルを２つの値の間で調節することは、前記デューティ・サイクルを１つ以上の中間のデューティ・サイクル値の間で調節することを含み、前記デューティ・サイクルは、少なくとも前記ビット・タイムの一部の間一定に保たれる、請求項１９に記載の無線電力システム。
【請求項２１】
前記デューティ・サイクルを前記遠隔デバイスのインピーダンスをシフトするために２つの値の間で選択的に調節することによって前記通信においてリンギングを減少させるように構成され、前記デューティ・サイクルを２つの値の間で調節することは、前記デューティ・サイクルを１つ以上の中間のデューティ・サイクル値の間で調節することを含み、前記デューティ・サイクルは、前記ビット・タイムの実質的に全部にわたって変化する、請求項１９に記載の無線電力システム。
【請求項２２】
前記２つの値の間の実質的に途中のデューティ・サイクルにおいて、前記ビット・タイムを始め、終わるように構成される、請求項１９に記載の無線電力システム。
【請求項２３】
前記１つ以上の中間のデューティ・サイクル・ステップの数とサイズは、ゼロ・ビット減衰を減少させるように選択される、請求項１９に記載の無線電力システム。
【請求項２４】
無線電力供給源から無線電力を受信するための遠隔デバイスであって、該遠隔デバイスは、
誘導結合を通して前記無線電力供給源から電力を受信することができる適応電力レシーバであって、前記適応電力レシーバは、第１のモードに構築可能、および、第２のモードに構築可能である、適応電力レシーバと、
前記適応電力レシーバにおいて生成された電力を受信するための負荷であって、前記第１のモードにおいて、前記適応電力レシーバは前記無線電力供給源から受信したエネルギーを格納することができ、前記第２のモードにおいて、前記適応電力レシーバは前記格納されたエネルギーを前記負荷に開放する、負荷と、
前記適応電力レシーバに結合して動作するコントローラであって、該コントローラは、前記第１のモードと前記第２のモードとの間でスイッチすることによって、情報を前記無線電力供給源に通信するように構成されている、コントローラと、
を具備する、遠隔デバイス。
【請求項２５】
前記コントローラは、前記第１のモードと前記第２のモードとの間で前記適応電力レシーバを選択的に構成することによって、前記無線電力供給源から受信した電力をコントロールすることができる、請求項２４に記載の遠隔デバイス。
【請求項２６】
前記無線電力供給源に通信される前記情報の各ビットは、前記第１のモードと前記第２のモードとの間の複数の移行によって表される、請求項２４に記載の遠隔デバイス。
【請求項２７】
前記コントローラは、ビット・タイムにわたり、前記第２のモードに関して前記第１のモードのデューティ・サイクルをコントロールし、
前記デューティ・サイクルを増加することは、前記適応電力レシーバが前記第１のモードにある時間の期間を増やし、
前記デューティ・サイクルを減少することは、前記適応電力レシーバが前記第１のモードにある時間の期間を減らし、
前記コントローラは、前記デューティ・サイクルを前記遠隔デバイスのインピーダンスをシフトするために２つの値の間で選択的に調節することによって前記無線電力供給源に通信することができ、
前記デューティ・サイクルを２つの値の間で調節することは、前記デューティ・サイクルを１つ以上の中間のデューティ・サイクル値の間で調節することを含む、
請求項２６に記載の遠隔デバイス。
【請求項２８】
前記１つ以上の中間のデューティ・サイクル・ステップの数とサイズは、前記通信においてリンギングを減少させるように選択される、請求項２７に記載の遠隔デバイス。
【請求項２９】
前記１つ以上の中間のデューティ・サイクル・ステップの数とサイズは、ゼロ・ビット減衰を減少させるように選択される、請求項２７に記載の遠隔デバイス。
【請求項３０】
前記１つ以上の中間のデューティ・サイクル・ステップの数とサイズは、前記ビット・タイムの部分の間、一定のデューティ・サイクルを生成するように選択される、請求項２７に記載の遠隔デバイス。
【請求項３１】
前記１つ以上の中間のデューティ・サイクル・ステップの数とサイズは、全ビット・タイムの間、種々のデューティ・サイクルを生じるように選択される、請求項２７に記載の遠隔デバイス。
【請求項３２】
前記第１のモードは、高Ｑモードであり、前記第２のモードは、低Ｑモードである、請求項２４に記載の遠隔デバイス。
【請求項３３】
前記コントローラは、前記適応電力レシーバの効果的Ｑを閾値の上に、または、下に維持するために、前記適応電力レシーバが前記高Ｑモードにある期間をコントロールし、それによって、前記無線電力供給源と前記遠隔デバイスとの間の電力伝送の効率を改善する、請求項２５に記載の遠隔デバイス。
【請求項３４】
前記適応電力レシーバは、受信した電力を調整すること、および、前記適応電力レシーバを前記第１のモードと前記第２のモードとの間でスイッチすることの両方が可能である適応コントロール回路を含む、請求項２４に記載の遠隔デバイス。
【請求項３５】
前記第１のモードは共鳴であり、前記第２のモードは高共鳴である、請求項２４に記載の遠隔デバイス。
【請求項３６】
誘導結合を通して前記無線電力供給源から電力を受信することができる補助レシーバを更に備え、前記第１のモードにおいて、前記適応電力レシーバは、前記無線電力供給源から前記補助レシーバに電力を提供し、前記負荷に直接電力を提供することをバイパスし、前記第２のモードにおいて、前記適応電力レシーバは、前記負荷に直接電力を提供する、請求項２４に記載の遠隔デバイス。
【請求項３７】
前記適応電力レシーバは前記第１のモードにおいて、前記第２のモードに比較して等価直列抵抗を減少した、請求項２４に記載の遠隔デバイス。
【請求項３８】
前記コントローラは、受信される電力が閾値より下であるとの決定に応じて、受信される電力の量を増加するように前記適応電力レシーバをコントロールする、請求項２４に記載の遠隔デバイス。
【請求項３９】
前記適応電力レシーバは、前記無線電力供給源と誘導的に結合することができる単一のインダクタを含む、請求項２４に記載の遠隔デバイス。
【請求項４０】
遠隔デバイスにおいて無線電力供給源から受信される電力をコントロールするための方法であって、該方法は、
前記無線電力供給源との誘導結合を介して適応電力レシーバにおいて電力を受信するステップと、
前記適応電力レシーバを選択的に第１のモードに構成するステップであって、該第１のモードにおいて、前記適応電力レシーバは、無線電力供給源から受信したエネルギーを格納することができる、ステップと、
前記適応電力レシーバを選択的に第２のモードに構成するステップであって、該第２のモードにおいて、前記適応電力レシーバは、格納されたエネルギーを負荷に開放する、ステップと、
前記第１のモードと前記第２のモードとの間でスイッチして情報を前記無線電力供給源に通信するステップと、
を具備する、方法。
【請求項４１】
前記無線電力供給源に通信される前記情報の各ビットに対し前記第１のモードと前記第２のモードとの間で複数回スイッチするステップを含む、請求項４０に記載の方法。
【請求項４２】
前記適応電力レシーバによって受信された電力の量を制御するために第１のデューティ・サイクルにおいて前記第１のモードと前記第２のモードとの間で循環するステップと、
前記適応電力レシーバによって受信された電力の量を制御するために第２のデューティ・サイクルにおいて前記第１のモードと前記第２のモードとの間で循環するステップと、
前記情報を前記無線電力供給源に通信するために、前記第１のデューティ・サイクルにおける前記第１のモードと前記第２のモードとの間での循環、および、第２のデューティ・サイクルにおける前記第１のモードと前記第２のモードとの間での循環の間に移行するステップであって、前記移行するステップは、１つ以上の中間のデューティ・サイクルにおける前記第１のモードと前記第２のモードとの間での循環を含み、前記中間のデューティ・サイクルは、前記第１のデューティ・サイクルと前記第２のデューティ・サイクルとの間にある、ステップと、
を具備する、請求項４０に記載の方法。
【請求項４３】
前記１つ以上の中間のデューティ・サイクル・ステップの数とサイズとは、前記通信においてリンギングを減少させるように選択される、請求項４２に記載の方法。
【請求項４４】
前記１つ以上の中間のデューティ・サイクル・ステップの数とサイズとは、ゼロ・ビット減衰を減少させるように選択される、請求項４２に記載の方法。
【請求項４５】
前記第１のモードは高Ｑモードであり、前記第２のモードは低Ｑモードである、請求項４０に記載の方法。
【請求項４６】
前記適応電力レシーバの効果的Ｑを閾値の上に、または、下に維持するために、前記適応電力レシーバが前記高Ｑモードにある期間をコントロールするステップを含み、それによって、前記無線電力供給源と前記遠隔デバイスとの間の電力伝送の効率を改善する、請求項４５に記載の方法。
【請求項４７】
無線電力供給源から遠隔デバイスに無線電力を伝送し、該遠隔デバイスから該無線電力供給源に通信するための無線電力システムであって、前記無線電力システムは、
誘導結合を通して前記ワイヤレス電力供給源から電力を受信することができる適応電力レシーバであって、前記適応電力レシーバは、第１のモードに構成可能、および、第２のモードに構成可能である、適応電力レシーバ、
前記適応電力レシーバにおいて生成された電力を受信するための負荷であって、前記第１のモードにおいて、前記適応電力レシーバは、前記無線電力供給源から受信したエネルギーを格納することができ、前記第２のモードにおいて、前記適応電力レシーバは、前記格納されたエネルギーを前記負荷に開放する、負荷、および、
前記適応電力レシーバに結合して動作するコントローラであって、該コントローラは、前記第１のモードと前記第２のモードとの間でスイッチすることによって、情報を前記無線電力供給源に通信するように構成されている、コントローラ、
を含む遠隔デバイスと、
無線電力を前記遠隔デバイスに送信することができる適応電力トランスミッタであって、該適応電力トランスミッタは、第１の共鳴モードに構築可能、および、第２の共鳴モードに構築可能であり、前記第１の共鳴モードにおいて、前記適応電力トランスミッタは、第１の共鳴周波数を有し、前記第２の共鳴モードにおいて、前記適応電力トランスミッタは、異なる第２の共鳴周波数を有する、適応電力トランスミッタ、および、
前記適応電力レシーバに結合して動作するコントローラであって、該コントローラは、前記第１の共鳴モードと前記第２の共鳴モードとの間で前記適応電力トランスミッタを選択的に構成することによって、前記無線電力供給源によって送信された電力をコントロールすることができる、コントローラ、
を含む無線電力トランスミッタと、
を具備する、無線電力システム。
【請求項４８】
前記遠隔デバイスの前記コントローラは、前記第１のモードと前記第２のモードとの間で前記適応電力レシーバを選択的に構成することによって、前記無線電力供給源から受信した電力をコントロールすることができる、請求項４７に記載の無線電力システム。
【請求項４９】
前記コントローラは、ビット・タイムにわたり、前記第２のモードに関して前記第１のモードのデューティ・サイクルをコントロールし、前記デューティ・サイクルを増加することは、前記適応電力レシーバが前記第１のモードにある時間の期間を増やし、前記デューティ・サイクルを減少することは、前記適応電力レシーバが前記第１のモードにある時間の期間を減らし、
前記コントローラは、前記デューティ・サイクルを前記遠隔デバイスのインピーダンスをシフトするために２つの値の間で選択的に調節することによって前記無線電力供給源に通信することができ、前記デューティ・サイクルを２つの値の間で調節することは、前記デューティ・サイクルを１つ以上の中間のデューティ・サイクル値の間で調節することを含む、
請求項４７に記載の無線電力システム。
【請求項５０】
前記遠隔デバイスの前記コントローラは、前記デューティ・サイクルを前記遠隔デバイスのインピーダンスをシフトするために２つの値の間で選択的に調節することによって前記通信においてリンギングを減少させるように構成され、前記デューティ・サイクルを２つの値の間で調節することは、前記デューティ・サイクルを１つ以上の中間のデューティ・サイクル値の間で調節することを含み、前記デューティ・サイクルは、少なくとも前記ビット・タイムの一部の間一定に保たれる、請求項４９に記載の無線電力システム。
【請求項５１】
前記遠隔デバイスの前記コントローラは、前記デューティ・サイクルを前記遠隔デバイスのインピーダンスをシフトするために２つの値の間で選択的に調節することによって前記通信においてリンギングを減少させるように構成され、前記デューティ・サイクルを２つの値の間で調節することは、前記デューティ・サイクルを１つ以上の中間のデューティ・サイクル値の間で調節することを含み、前記デューティ・サイクルは、前記ビット・タイムの実質的に全部にわたって変化する、請求項４９に記載の無線電力システム。
【請求項５２】
前記２つの値の間の実質的に途中のデューティ・サイクルにおいて、前記ビット・タイムを始め、終わるように構成される、請求項４９に記載の無線電力システム。
【請求項５３】
前記１つ以上の中間のデューティ・サイクル・ステップの数とサイズは、ゼロ・ビット減衰を減少させるように選択される、請求項４９に記載の無線電力システム。